(57)【特許請求の範囲】
【請求項１】
複数の電話番号を択一的に待受状態にして利用する移動体通信端末を用いて通信するための移動体通信システムであって、
少なくとも、前記移動体通信端末で利用可能な複数の電話番号を示す電話番号情報と、前記電話番号情報が示す電話番号が前記移動体通信端末で待受状態となっているか否かを示す待受状態情報と、を対応づけた管理情報を記憶する管理情報記憶手段と、
前記管理情報記憶手段が記憶する管理情報に基づいて、前記移動体通信端末に対する着信要求に示される電話番号が、当該移動体通信端末で待受状態となっているか否かを判別する待受番号判別手段と、
前記待受番号判別手段により、前記移動体通信端末に対する着信要求に示される電話番号が、当該移動体通信端末において非待受状態であると判別された場合、前記移動体通信端末で待受状態となっている電話番号を前記着信要求が示す電話番号に切り換える待受番号切換手段と、を備える、
ことを特徴とする移動体通信システム。
【請求項２】
前記管理情報記憶手段は、前記電話番号情報が示す電話番号のそれぞれに設定されている暗証情報が前記電話番号情報に対応づけられた前記管理情報を記憶し、
前記待受番号判別手段により、前記移動体通信端末に対する着信要求に示される電話番号が、当該移動体通信端末において非待受状態であると判別された場合、当該電話番号に対応づけられている暗証情報の送信を前記着信要求の発信元に要求する暗証情報要求手段と、
前記着信要求の発信元から送信された暗証情報と、前記管理情報記憶手段が記憶する暗証情報とを照合する暗証情報照合手段と、をさらに備え、
前記待受番号切換手段は、前記暗証情報照合手段により前記発信元が認証された場合、前記移動体通信端末で待受状態となっている電話番号を前記着信要求が示す電話番号に切り換える、
ことを特徴とする請求項１に記載の移動体通信システム。
【請求項３】
前記管理情報記憶手段は、前記移動体通信端末の位置情報を前記待受状態情報として記憶し、
前記移動体通信端末による位置登録に基づいて、当該移動体通信端末についての前記位置情報を更新する管理情報更新手段をさらに備える、
ことを特徴とする請求項１または２に記載の移動体通信システム。
【請求項４】
前記管理情報記憶手段は、前記電話番号情報が示す電話番号を利用可能な前記移動体通信端末を特定する端末識別情報が前記電話番号情報と対応づけられた前記管理情報を記憶し、
前記待受番号判別手段は、前記待受状態情報と前記端末識別情報とに基づいて、前記移動体通信端末で待受状態となっている電話番号を特定する待受番号特定手段をさらに備える、
ことを特徴とする請求項１乃至３のいずれか１項に記載の移動体通信システム。
【請求項５】
前記移動体通信端末は、前記待受番号切換手段によって切り換えられた電話番号を待受状態として前記着信要求を着信する、
ことを特徴とする請求項１乃至４のいずれか１項に記載の移動体通信システム。
【請求項６】
移動体通信端末が利用する通信網に接続された管理装置であって、
少なくとも、利用可能な複数の電話番号と、前記複数の電話番号のうち待受状態となっている電話番号がいずれであるかを示す待受状態情報と、を前記移動体通信端末毎に対応づけた管理情報を記憶する管理情報記憶手段と、
前記移動体通信端末への着信要求を受けた交換機からの問い合わせに応じて前記管理情報を検索し、前記着信要求が示す電話番号が待受状態であるか否かを前記交換機に通知する通知手段と、
を備えることを特徴とする管理装置。
【請求項７】
前記管理情報記憶手段は、前記移動体通信端末の位置情報を前記待受状態情報として記憶し、
各前記移動体通信端末による位置登録動作に基づいて、前記管理情報に含まれる前記待受状態情報を更新する管理情報更新手段をさらに備える、
ことを特徴とする請求項６に記載の管理装置。
【請求項８】
前記管理情報記憶手段は、前記電話番号情報が示す電話番号のそれぞれに設定されている暗証情報が前記電話番号情報に対応づけられた前記管理情報を記憶し、
前記通知手段は、前記移動体通信端末への着信要求を受けた交換機からの問い合わせに応じて、前記着信要求の発信元から入力された暗証情報と、前記管理情報記憶手段が記憶する暗証情報とを照合し、照合結果を前記交換機に通知する、
ことを特徴とする請求項６または７に記載の管理装置。
【請求項９】
移動体通信端末が用いる通信網に接続されたコンピュータに、
前記移動体通信端末で利用可能な複数の電話番号を示す電話番号情報を記憶装置に格納する機能と、
前記複数の電話番号のうち、前記移動体通信端末で待受状態となっている電話番号がいずれであるかを示す待受状態情報を前記電話番号情報に対応づけて前記記憶装置に格納する機能と、
前記移動体通信端末を特定する端末識別情報と、前記電話番号情報とを対応づけて前記記憶装置に格納する機能と、
前記移動体通信端末への着信要求を受けた交換機からの問い合わせに応じて前記記憶装置に格納された情報を検索し、前記着信要求が示す電話番号が待受状態となっているか否かを前記交換機に通知する機能と、
各前記移動体通信端末による位置登録動作に基づいて、前記管理情報に含まれる前記待受状態情報を更新する機能と、
前記複数の電話番号のそれぞれに設定されている暗証情報を前記電話番号情報に対応づけて前記記憶装置に格納する機能と、
前記交換機からの問い合わせに応じて、前記着信要求の発信元から入力された暗証情報と前記記憶装置に格納されている暗証情報とを照合し、照合結果を前記交換機に通知する機能と、
を実現させることを特徴とするプログラム。
【請求項１０】
移動体通信端末が利用する通信網に接続された交換機であって、
前記移動体通信端末への着信要求を取得した際に、当該着信要求の着信電話番号が待受状態であるか否かを、前記移動体通信端末の管理情報を有する管理装置に問い合わせる待受番号問い合わせ手段と、
前記問い合わせに対する前記管理装置の回答に基づき、前記着信電話番号が非待受状態である場合、前記着信要求が示す着信電話番号への切換を前記移動体通信端末に要求する切換要求手段と、
を備えることを特徴とする交換機。
【請求項１１】
前記待受番号問い合わせ手段の問い合わせに対する前記管理装置の回答に基づき、前記着信電話番号が非待受状態である場合、当該着信電話番号に対応づけられている暗証情報の入力を、前記着信要求の発信元に要求する暗証情報要求手段と、
前記暗証情報要求手段による要求に応じて入力された暗証情報の照合を前記管理装置に依頼する照合依頼手段と、をさらに備え、
前記切換要求手段は、前記管理装置による照合の結果、入力された暗証情報と前記管理情報の暗証情報とが一致する場合、前記着信要求の着信電話番号への切換を前記移動体通信端末に要求する、
ことを特徴とする請求項１０に記載の交換機。
【請求項１２】
複数の電話番号を択一的に待受状態にして利用する移動体通信端末であって、
記憶媒体に格納されている電話番号情報が示す複数の電話番号のいずれかを待受状態とする待受番号設定手段と、
前記待受番号設定手段が設定した電話番号を用いた位置登録動作をおこなう位置登録手段と、
前記待受番号設定手段が設定した電話番号を待受状態として通信をおこなう通信手段と、
特定の発信者からの着信要求に基づいた、待受状態となっている電話番号の切換要求を交換機から受信する切換要求受信手段と、を備え、
前記通信手段は、前記切換要求受信手段が受信した切換要求に基づいて、待受状態とする電話番号を切り換える、
ことを特徴とする移動体通信端末。
【請求項１３】
前記通信手段は、前記切換要求が示す電話番号を待受状態に切り換えておこなった通信動作の終了後は、前記待受番号設定手段が設定した電話番号を待受状態に復帰させる、
ことを特徴とする請求項１２に記載の移動体通信端末。
【請求項１４】
移動体通信端末を制御するコンピュータに、
記憶媒体に格納されている複数の電話番号から待受状態とする１つの電話番号をユーザに選択させる機能と、
選択された電話番号を待受状態として通信動作をおこなう機能と、
選択された電話番号以外の電話番号への切換を要求する切換要求を交換機から受信する機能と、
受信した切換要求が示す電話番号を待受状態に切り換える機能と、
前記切換要求に基づいて待受状態とした電話番号での通信動作の終了後は、前記ユーザにより選択された電話番号での待受状態に復帰させる機能と、
を実現させることを特徴とするプログラム。
【発明の詳細な説明】
【技術分野】
【０００１】
本発明は、移動体通信システム、管理装置、交換機、移動体通信端末、および、プログラムに関し、特に、複数の電話番号を利用可能な移動体通信端末の利用効率と利便性向上に好適な移動体通信システム、管理装置、交換機、移動体通信端末、および、プログラムに関する。
【背景技術】
【０００２】
携帯電話などの移動体通信においては、例えば、ＳＩＭ（Subscriber Identity Module）やＵＩＭ（User Identity Module）などといった、契約者情報などの認証情報を記録したＩＣカードを移動体通信端末に装着することで、１つの端末装置で複数の電話番号を利用する形態が実現されている。これにより、例えば、仕事中に使用する電話番号とプライベートで使用する電話番号とを異ならせるような場合でも、番号毎に異なる端末を所持する必要がない。
【０００３】
このような形態では、１つの電話番号に対し１枚のＩＣカードを利用するのが一般的である。よって、複数の番号を同時に利用したい場合などに対応するため、複数のＩＣカードを装着し、各電話番号での同時待受を実現する手法なども提案されている（例えば、特許文献１）。
【特許文献１】特開２００３−１８９３６１号公報
【発明の開示】
【発明が解決しようとする課題】
【０００４】
しかしながら、複数の電話番号で同時待受するには、それぞれの電話番号について位置登録動作や呼び出し有無の確認を繰り返しおこなうことになるので、端末装置内での処理が複雑になり、消費電力の増大などをもたらすことになる。
【０００５】
そこで、端末装置内での処理を簡素化し、消費電力を低減させるために、利用可能な複数の電話番号のうちの１つを待受可能状態とし、他の電話番号については非待受状態とすることが考えられる。しかしながら、この方法では、非待受状態となっている電話番号に発呼された場合には、着信することができないという不都合がある。
【０００６】
本発明は、上記実状に鑑みてなされたものであり、移動体通信端末の動作効率と利便性の向上を実現する移動体通信システム等を提供することを目的とする。
【課題を解決するための手段】
【０００７】
上記目的を達成するため、本発明の第１の観点にかかる移動体通信システムは、
複数の電話番号を択一的に待受状態にして利用する移動体通信端末を用いて通信するための移動体通信システムであって、
少なくとも、前記移動体通信端末で利用可能な複数の電話番号を示す電話番号情報と、前記電話番号情報が示す電話番号が前記移動体通信端末で待受状態となっているか否かを示す待受状態情報と、を対応づけた管理情報を記憶する管理情報記憶手段と、
前記管理情報記憶手段が記憶する管理情報に基づいて、前記移動体通信端末に対する着信要求に示される電話番号が、当該移動体通信端末で待受状態となっているか否かを判別する待受番号判別手段と、
前記待受番号判別手段により、前記移動体通信端末に対する着信要求に示される電話番号が、当該移動体通信端末において非待受状態であると判別された場合、前記移動体通信端末で待受状態となっている電話番号を前記着信要求が示す電話番号に切り換える待受番号切換手段と、を備える、
ことを特徴とする。
【０００８】
このような構成によれば、複数利用可能な電話番号のうちのいずれか１つを待受状態とすることで、移動体通信端末の動作効率を高めるとともに、非待受状態となっている電話番号への発呼があった場合、当該非待受状態としている電話番号を、自動的に待受状態に切り換えて着信させることができる。
【０００９】
上記移動体通信システムにおいて、
前記管理情報記憶手段は、前記電話番号情報が示す電話番号のそれぞれに設定されている暗証情報が前記電話番号情報に対応づけられた前記管理情報を記憶することが望ましく、この場合、
前記待受番号判別手段により、前記移動体通信端末に対する着信要求に示される電話番号が、当該移動体通信端末において非待受状態であると判別された場合、当該電話番号に対応づけられている暗証情報の送信を前記着信要求の発信元に要求する暗証情報要求手段と、
前記着信要求の発信元から送信された暗証情報と、前記管理情報記憶手段が記憶する暗証情報とを照合する暗証情報照合手段と、をさらに備え、
前記待受番号切換手段は、前記暗証情報照合手段により前記発信元が認証された場合、前記移動体通信端末で待受状態となっている電話番号を前記着信要求が示す電話番号に切り換えることが望ましい。
【００１０】
このような構成によれば、非待受状態となっている電話番号への発呼があった場合、暗証情報を知っている発信元からの発呼であれば、当該非待受状態となっている電話番号を自動的に待受状態に切り換えるので、特定の発信元からの発呼を例外的に着信させることができる。
【００１１】
上記移動体通信システムにおいて、
前記管理情報記憶手段は、前記移動体通信端末の位置情報を前記待受状態情報として記憶することが望ましく、この場合、
前記移動体通信端末による位置登録に基づいて、当該移動体通信端末についての前記位置情報を更新する管理情報更新手段をさらに備えていることが望ましい。
【００１２】
このような構成によれば、待受状態となっている電話番号での位置登録動作により、いずれの電話番号が待受状態となっているかを識別することができる。このような位置登録動作は、どの移動体通信端末もおこなうものであるため、既存のシステムを利用した簡易な動作によって、移動体通信端末において待受状態となっている電話番号がいずれであるかを識別することができる。
【００１３】
上記移動体通信システムにおいて、
前記管理情報記憶手段は、前記電話番号情報が示す電話番号を利用可能な前記移動体通信端末を特定する端末識別情報が前記電話番号情報と対応づけられた前記管理情報を記憶していることが望ましく、この場合、
前記待受番号判別手段は、前記待受状態情報と前記端末識別情報とに基づいて、前記移動体通信端末で待受状態となっている電話番号を特定する待受番号特定手段をさらに備えていることが望ましい。
【００１４】
このような構成によれば、移動体通信端末毎に一意に割り当てられている識別情報に基づいて待受状態となっている電話番号を特定するので、複数の電話番号を選択的に利用可能な移動体通信端末で着信可能な電話番号を効率的に特定することができる。
【００１５】
上記移動体通信システムにおいて、
前記移動体通信端末は、前記待受番号切換手段によって切り換えられた電話番号を待受状態として前記着信要求を着信することが望ましい。
【００１６】
このような構成によれば、システム側の動作によって移動体通信端末で待受状態となっている電話番号が自動的に切り換えられるので、移動体通信端末のユーザは、特別な操作をおこなうことなく、特定の発信元からの発呼を着信することができる。
【００１７】
上記目的を達成するため、本発明の第２の観点にかかる管理装置は、
移動体通信端末が利用する通信網に接続された管理装置であって、
少なくとも、利用可能な複数の電話番号と、前記複数の電話番号のうち待受状態となっている電話番号がいずれであるかを示す待受状態情報と、を前記移動体通信端末毎に対応づけた管理情報を記憶する管理情報記憶手段と、
前記移動体通信端末への着信要求を受けた交換機からの問い合わせに応じて前記管理情報を検索し、前記着信要求が示す電話番号が待受状態であるか否かを前記交換機に通知する通知手段と、
を備えることを特徴とする。
【００１８】
このような構成によれば、複数の電話番号を利用可能な移動体通信端末についての管理情報を蓄積し、交換機からの問い合わせに応じて、着信要求が示す電話番号が移動体通信端末で待受状態となっているか否かを通知することができる。
【００１９】
上記管理装置において、
前記管理情報記憶手段は、前記移動体通信端末の位置情報を前記待受状態情報として記憶していることが望ましく、この場合、
各前記移動体通信端末による位置登録動作に基づいて、前記管理情報に含まれる前記待受状態情報を更新する管理情報更新手段をさらに備えていることが望ましい。
【００２０】
このような構成によれば、どの移動体通信端末もおこなう位置登録により、いずれの電話番号が待受状態となっているかが識別可能となるよう管理情報を更新することができる。このため、既存のシステムを利用した簡易な動作によって、着信要求が示す電話番号待受状態となっているか否かを交換機に通知することができる。
【００２１】
上記管理装置において、
前記管理情報記憶手段は、前記電話番号情報が示す電話番号のそれぞれに設定されている暗証情報が前記電話番号情報に対応づけられた前記管理情報を記憶していることが望ましく、この場合、
前記通知手段は、前記移動体通信端末への着信要求を受けた交換機からの問い合わせに応じて、前記着信要求の発信元から入力された暗証情報と、前記管理情報記憶手段が記憶する暗証情報とを照合し、照合結果を前記交換機に通知することが望ましい。
【００２２】
このような構成によれば、特定の発信元からの着信要求であるか否かを交換機に通知することができる。
【００２３】
上記目的を達成するため、本発明の第３の観点にかかるプログラムは、
移動体通信端末が用いる通信網に接続されたコンピュータに、
前記移動体通信端末で利用可能な複数の電話番号を示す電話番号情報を記憶装置に格納する機能と、
前記複数の電話番号のうち、前記移動体通信端末で待受状態となっている電話番号がいずれであるかを示す待受状態情報を前記電話番号情報に対応づけて前記記憶装置に格納する機能と、
前記移動体通信端末を特定する端末識別情報と、前記電話番号情報とを対応づけて前記記憶装置に格納する機能と、
前記移動体通信端末への着信要求を受けた交換機からの問い合わせに応じて前記記憶装置に格納された情報を検索し、前記着信要求が示す電話番号が待受状態となっているか否かを前記交換機に通知する機能と、
各前記移動体通信端末による位置登録動作に基づいて、前記管理情報に含まれる前記待受状態情報を更新する機能と、
前記複数の電話番号のそれぞれに設定されている暗証情報を前記電話番号情報に対応づけて前記記憶装置に格納する機能と、
前記交換機からの問い合わせに応じて、前記着信要求の発信元から入力された暗証情報と前記記憶装置に格納されている暗証情報とを照合し、照合結果を前記交換機に通知する機能と、
を実現させることを特徴とするプログラム。
【００２４】
このようなプログラムを適用することで、例えば、汎用の情報処理装置などを本発明にかかる管理装置として機能させることができる。
【００２５】
上記目的を達成するため、本発明の第４の観点にかかる交換機は、
移動体通信端末が利用する通信網に接続された交換機であって、
前記移動体通信端末への着信要求を取得した際に、当該着信要求の着信電話番号が待受状態であるか否かを、前記移動体通信端末の管理情報を有する管理装置に問い合わせる待受番号問い合わせ手段と、
前記問い合わせに対する前記管理装置の回答に基づき、前記着信電話番号が非待受状態である場合、前記着信要求が示す着信電話番号への切換を前記移動体通信端末に要求する切換要求手段と、
を備えることを特徴とする。
【００２６】
上記交換機は、
前記待受番号問い合わせ手段の問い合わせに対する前記管理装置の回答に基づき、前記着信電話番号が非待受状態である場合、当該着信電話番号に対応づけられている暗証情報の入力を、前記着信要求の発信元に要求する暗証情報要求手段と、
前記暗証情報要求手段による要求に応じて入力された暗証情報の照合を前記管理装置に依頼する照合依頼手段と、をさらに備えていることが望ましく、この場合、
前記切換要求手段は、前記管理装置による照合の結果、入力された暗証情報と前記管理情報の暗証情報とが一致する場合、前記着信要求の着信電話番号への切換を前記移動体通信端末に要求することが望ましい。
【００２７】
上記のような構成によれば、移動体通信における中継動作などをおこなう交換機を用いて、移動体通信端末で非待受状態となっている電話番号を待受状態に切り換えることができる。この場合において、暗証情報による照合をおこなうことで、非待受状態となっている電話番号への発呼が特定の発信元からの場合にのみ、例外的に着信させることができる。
【００２８】
上記目的を達成するため、本発明の第５の観点にかかる移動体通信端末は、
複数の電話番号を択一的に待受状態にして利用する移動体通信端末であって、
記憶媒体に格納されている電話番号情報が示す複数の電話番号のいずれかを待受状態とする待受番号設定手段と、
前記待受番号設定手段が設定した電話番号を用いた位置登録動作をおこなう位置登録手段と、
前記待受番号設定手段が設定した電話番号を待受状態として通信をおこなう通信手段と、
特定の発信者からの着信要求に基づいた、待受状態となっている電話番号の切換要求を交換機から受信する切換要求受信手段と、を備え、
前記通信手段は、前記切換要求受信手段が受信した切換要求に基づいて、待受状態とする電話番号を切り換える、
ことを特徴とする。
【００２９】
このような構成によれば、利用可能な複数の電話番号のうちのいずれか１つを待受状態として動作効率を高めるとともに、特定の発信者からの着信要求に基づく切換要求を受信した場合には、非待受状態としていた電話番号を待受状態に切り換えるので、非待受状態としている電話番号への発呼であっても例外的に着信することができる。
【００３０】
上記移動体通信端末において、
前記通信手段は、前記切換要求が示す電話番号を待受状態に切り換えておこなった通信動作の終了後は、前記待受番号設定手段が設定した電話番号を待受状態に復帰させることが望ましい。
【００３１】
このような構成によれば、非待受状態としていた電話番号を例外的に待受状態に切り換えておこなった通信の終了後に、自動的に元の電話番号を待受状態に復帰させることができる。
【００３２】
上記目的を達成するため、本発明の第６の観点にかかるプログラムは、
移動体通信端末を制御するコンピュータに、
記憶媒体に格納されている複数の電話番号から待受状態とする１つの電話番号をユーザに選択させる機能と、
選択された電話番号を待受状態として通信動作をおこなう機能と、
選択された電話番号以外の電話番号への切換を要求する切換要求を交換機から受信する機能と、
受信した切換要求が示す電話番号を待受状態に切り換える機能と、
前記切換要求に基づいて待受状態とした電話番号での通信動作の終了後は、前記ユーザにより選択された電話番号での待受状態に復帰させる機能と、
を実現させることを特徴とする。
【００３３】
このようなプログラムを適用することで、例えば、既存の移動体通信端末などを本発明にかかる移動体通信端末として機能させることができる。
【発明の効果】
【００３４】
本発明によれば、非待受状態としている電話番号への発呼があった場合、特定の発信元からの発呼であれば例外的に着信することができるので、移動体通信端末の動作効率と利便性とを両立させることができる。
【発明を実施するための最良の形態】
【００３５】
以下、図面を参照して本発明にかかる実施形態を説明する。まず、図１を参照して、本発明の実施形態にかかる移動体通信システムについて説明する。本実施形態にかかる移動体通信システム１は、移動体通信端末１００による通信をおこなうためのものであり、複数の基地局２５、交換機２００、管理装置３００、などから構成される。
【００３６】
複数の基地局２５は交換機２００に接続されており、これらによってモバイルネットワーク２０が構成されている。すなわち、移動体通信端末１００は、近傍の基地局２５と無線通信することで、モバイルネットワーク２０を介して移動体通信端末１００同士での通信をおこなう。なお、このような交換機２００と複数の基地局２５による構成が複数存在することでモバイルネットワーク２０を構成していてもよい。
【００３７】
交換機２００は、移動体通信端末１００に移動体通信サービスを提供する通信キャリア（以下、「キャリアＣＲ」とする）の設備であり、複数の基地局２５が交換機２００に接続されている。また、交換機２００には、モバイルネットワーク２０とは異なる通信ネットワークである外部ネットワーク１０が接続されている。外部ネットワーク１０は、例えば、他のキャリアのモバイルネットワークや固定電話用の公衆回線網などである。外部ネットワーク１０が接続されている交換機２００を介することで、移動体通信端末１００と他の通信チャンネルの端末（他のキャリアの移動体通信端末や固定電話など。以下、「外部端末」とする）との通信が実現されている。
【００３８】
さらに、交換機２００には、移動体通信端末１００のキャリアＣＲが提供する移動体通信サービスの加入者情報を管理する管理装置３００が接続されている。なお、交換機２００と複数の基地局２５による構成が複数存在するモバイルネットワーク２０の場合には、モバイルネットワーク２０に対して１つの管理装置３００が接続されている構成でもよい。
【００３９】
以上のような接続形態である移動体通信システム１の各構成について以下説明する。
【００４０】
まず、移動体通信端末１００について説明する。本実施形態にかかる移動体通信端末１００は、例えば、携帯電話やＰＨＳ（Personal Handyphone System）などといった移動体通信用の端末装置（電話機）である。本実施形態にかかる移動体通信端末１００は、例えば、ＳＩＭやＵＩＭなどを用いることにより、複数の電話番号が利用可能な移動体通信端末である。
【００４１】
本実施形態にかかる移動体通信端末１００の構成を、図２を参照して説明する。図２は移動体通信端末１００の構成を示すブロック図である。
【００４２】
図示するように、移動体通信端末１００は、制御部１１０、無線通信部１２０、アンテナ１２１、送信制御部１２２、受信制御部１２３、操作部１３０、表示部１４０、音声処理部１５０、カードインタフェース（Ｉ／Ｆ）１６０、固定情報記憶部１７０、可変情報記憶部１８０、などから構成される。
【００４３】
制御部１１０は、例えば、ＣＰＵ（Central Processing Unit：中央演算処理装置）やワークエリアとなるＲＡＭ（Random Access Memory）などから構成され、所定の動作プログラムを実行することで移動体通信端末１００の各部を制御する。すなわち、移動体通信端末１００の各構成は制御部１１０によって制御されるとともに、各構成間の情報伝達などは制御部１１０を介しておこなわれる。
【００４４】
無線通信部１２０は、例えば、移動体通信用の無線通信デバイスなどから構成され、基地局２５と無線通信するためのアンテナ１２１による電波送受信を制御することで、基地局２５との無線通信により音声通話やデータ通信をおこなう。
【００４５】
送信制御部１２２は、例えば、所定の送信回路などから構成され、無線通信部１２０の無線通信による移動体通信端末１００からの送信動作を実行する。
【００４６】
受信制御部１２３は、例えば、所定の受信回路などから構成され、無線通信部１２０の無線通信による移動体通信端末１００への受信動作を実行する。
【００４７】
操作部１３０は、移動体通信端末１００の外面上に構成されたボタンやキーなどから構成され、移動体通信端末１００のユーザによって操作される。操作部１３０は、各ボタンやキーなどと接続された入力回路などを備え、ユーザの操作に応じた入力信号を生成して制御部１１０に入力する。
【００４８】
表示部１４０は、例えば、液晶表示装置などから構成された表示出力装置であり、制御部１１０の制御によって画像等を表示出力する。
【００４９】
音声処理部１５０は、例えば、音声入出力用のマイクロフォンやスピーカ、および、コーデック回路などから構成され、移動体通信端末１００の通話機能などにかかる音声の処理をおこなう。すなわち、マイクロフォン１５１から入力されたユーザの発話音声をデジタル音声データに変換して無線通信部１２０に送出する送話動作や、無線通信部１２０で受信したデジタル音声データをアナログ音声信号に変換してスピーカ１５２から出力する受話動作などをおこなう。
【００５０】
カードインタフェース１６０は、ＩＣカードなどのリムーバブル式の記憶媒体を移動体通信端末１００に装着するためのスロット部や、装着した記憶媒体と電気信号を送受するための端子部などから構成される。本実施形態では、移動体通信端末１００で利用可能な電話番号を示す情報などが格納されたＩＣカード１６１（例えば、ＳＩＭやＵＩＭなど）がカードインタフェース１６０に装着されるものとする。
【００５１】
本実施形態にかかるＩＣカード１６１には、例えば、移動体通信端末１００に移動体通信サービスを提供するキャリアＣＲなどによって承認・発行された認証情報が記録されるものであり、当該ＩＣカード１６１の契約者によって利用可能な電話番号情報が記録される。本実施形態では、１枚のＩＣカード１６１につき、１つの電話番号情報が格納されるものとする。
【００５２】
固定情報記憶部１７０は、例えば、ＲＯＭ（Read Only Memory）などの書換できない記憶装置などから構成され、移動体通信端末１００に関する固定的な情報が記録される。本実施形態では、移動体通信端末１００に固有の識別情報（以下、「端末ＩＤ」とする）、および、当該移動体通信端末１００の契約時に付与された電話番号情報が固定情報記憶部１７０に格納される。すなわち、ＩＣカード１６１を装着しない場合は、固定情報記憶部１７０に格納された電話番号のみが利用可能であり、ＩＣカード１６１が装着された場合には、固定情報記憶部１７０に格納されている電話番号と、ＩＣカード１６１に格納されている電話番号の双方が利用可能となる。
【００５３】
可変情報記憶部１８０は、例えば、フラッシュメモリなどの書換可能な記憶装置から構成され、制御部１１０が実行する動作プログラムを格納する他、本発明を実現するために必要な種々のデータを格納する。本実施形態では、図２に示すように、電話番号情報格納領域１８１、位置情報領域１８２、プログラム格納領域１８３、などの記憶領域が構成される。
【００５４】
電話番号情報格納領域１８１は、固定情報記憶部１７０に格納されている電話番号情報と、カードインタフェース１６０に装着されたＩＣカード１６１に記録されている電話番号情報とに基づいて、移動体通信端末１００が利用可能な電話番号情報を格納する領域である。すなわち、少なくとも固定情報記憶部１７０に格納されている電話番号情報は、常に電話番号情報格納領域１８１に記録されており、ＩＣカード１６１の挿抜に応じて、ＩＣカード１６１に記録されている電話番号情報が追加・削除される。
【００５５】
電話番号情報格納領域１８１に格納される情報の例を図３（ａ）に示す。図示するように、電話番号情報格納領域１８１には、装着されているＩＣカード１６１に応じた電話番号情報毎にレコードが作成され、各レコードには、待受識別フラグや自動切換フラグなどが記録される。
【００５６】
本実施形態では、複数の電話番号のうちから選択された１つを利用可能状態（待受状態）とする。よって、待受状態に選択された電話番号には、待受識別フラグがＯＮされる。また、交換機２００からの要求によって自動的に待受状態に切り換えられた場合は、切換前の電話番号と切換後の電話番号の自動切換フラグがＯＮされる。本実施形態において、待受識別フラグおよび自動切換フラグは、０または１の２値データにより示されるものとし、フラグ値「１」がＯＮであることを示し、フラグ値「０」がＯＦＦであることを示すものとする。
【００５７】
位置情報領域１８２は、移動体通信端末１００がおこなう位置登録動作によって基地局２５から取得される位置情報を格納する領域である。本実施形態では、複数の電話番号が利用可能である場合、待受状態となっている電話番号についての位置登録動作をおこなうものとする。この場合、位置情報領域１８２には、図３（ｂ）に示すように、待受状態となっている電話番号について得られた直近の位置情報が格納される。この位置情報は、移動体通信端末１００が移動することにより、移動体通信端末１００と通信する近傍の基地局２５が変わる毎に更新される。すなわち、移動体通信端末１００に近傍の基地局２５が発信する位置情報が随時示される。
【００５８】
プログラム格納領域１８３は、制御部１１０が実行するプログラムを格納するための領域である。プログラム格納領域１８３には、移動体通信端末１００全体の動作を制御するための基本ソフトウェア（いわゆる、ＯＳ）や、移動体通信端末１００の種々の機能を実現するためのアプリケーションソフトウェアなどが格納される。
【００５９】
本実施形態では、制御部１１０がプログラム格納領域１８３に格納されているプログラムを実行することで、本実施形態にかかる処理を実行するために必要な機能構成が実現される。制御部１１０によって実現される機能構成を図４に示す。図４は、制御部１１０によって実現される機能構成を示す機能ブロック図である。
【００６０】
図示するように、制御部１１０は、登録処理部１１１、着信要求解析部１１２、電話番号処理部１１３、などとして機能する。
【００６１】
登録処理部１１１は、送信制御部１２２および受信制御部１２３との協働により、交換機２００や管理装置３００への登録動作をおこなう。本実施形態では、交換機２００および管理装置３００に対して位置登録動作をおこなう他、管理装置３００に対する、電話番号や暗証番号の登録動作をおこなう。
【００６２】
着信要求解析部１１２は、受信制御部１２３との協働により、移動体通信端末１００宛に送信された着信要求の内容を解析する。本実施形態では、通常の通話動作における着信要求の他、交換機２００からの電話番号切換要求となる着信要求を移動体通信端末１００が受信する。着信要求解析部１１２は、例えば、着信要求に含まれているヘッダ情報などを解析することで、受信した着信要求が、通常の通話着信に対するものであるか、交換機２００からの電話番号切換要求であるかを判別する。
【００６３】
電話番号処理部１１３は、カードインタフェース１６０や可変情報記憶部１８０との協働により、ＩＣカード１６１を使用した複数の電話番号の設定処理をおこなう。また、電話番号処理部１１３は、着信要求解析部１１２や可変情報記憶部１８０との協働により、移動体通信端末１００で使用可能な複数の電話番号の切換動作などをおこなう。
【００６４】
本実施形態では、ユーザによる操作部１３０の操作によって、手動で電話番号の切換がおこなえる他、交換機２００からの電話番号切換要求に応じた電話番号の自動切換をおこなう。この場合、電話番号処理部１１３は、交換機２００からの着信要求を解析し、電話番号切換要求であれば電話番号切換動作をおこなう。
【００６５】
本実施形態では、制御部１１０がプログラムを実行することによって、上記機能構成が論理的に実現されるものとするが、これらの機能を、例えば、ＡＳＩＣ（Application Specific Integrated Circuit：特定用途向け集積回路）などの物理的な構成によって実現してもよい。
【００６６】
なお、上記各構成は、移動体通信端末１００によって本発明を実現するために必要な主要な構成であり、移動体通信端末として必要なその他の構成については、必要に応じて備えられているものとする。
【００６７】
次に、交換機２００について説明する。本実施形態にかかる交換機２００は、例えば、所定の管轄エリア毎に設置されたキャリアＣＲの設備であり、主に、接続されている当該管轄エリアの複数の基地局２５を制御する。本実施形態では、通常の移動体通信をおこなうために、移動体通信端末１００の発着信中継などをおこなう他、交換機２００に接続されている管理装置３００との協働により、移動体通信端末１００に対し、待受状態とする電話番号の切換要求などをおこなう。本実施形態にかかる交換機２００の構成を、図５を参照して説明する。
【００６８】
図５は、交換機２００の構成を示すブロック図である。図示するように、本実施形態にかかる交換機２００は、中央処理部２１０、基地局処理部２２０、外部ネットワーク処理部２３０、管理装置処理部２４０、記憶部２５０、などから構成される。
【００６９】
中央処理部２１０は、例えば、制御用コンピュータ装置などから構成され、交換機２００の各部を制御する。
【００７０】
基地局処理部２２０は、当該交換機２００に接続されている複数の基地局２５と通信して各基地局２５を制御することで、移動体通信端末１００への着信動作などをおこなう。図５に示すように、基地局処理部２２０は、基地局通信部２２１、送信制御部２２２、受信制御部２２３、端末処理部２２４、端末要求部２２５、などを含んでいる。
【００７１】
基地局通信部２２１は、例えば、所定の伝送装置などから構成され、交換機２００と複数の基地局２５とを接続し、各基地局２５と通信をおこなう。なお、交換機２００と各基地局２５とは、例えば、光伝送路などで接続されているものとする。
【００７２】
送信制御部２２２は、例えば、所定の送信制御装置などから構成され、基地局通信部２２１を介した基地局２５への送信動作をおこなう。なお、送信制御部２２２は、移動体通信端末１００への着信要求を送信した他の移動体通信端末１００に対し、音声ガイダンスを送信するための構成を備えているものとする。
【００７３】
受信制御部２２３は、例えば、所定の受信制御装置などから構成され、基地局通信部２２１を介した基地局２５からの受信動作をおこなう。
【００７４】
端末処理部２２４は、例えば、所定のコンピュータ装置などから構成され、移動体通信端末１００の通信にかかる動作をおこなう。本実施形態では、受信制御部２２３との協働により移動体通信端末１００からの位置登録要求に基づいて位置登録をおこなう他、送信制御部２２２との協働により、移動体通信端末１００への着信要求の中継動作などをおこなう。この場合、位置登録要求および着信要求に含まれる情報を記憶部２５０に記録する他、管理装置処理部２４０に通知する。
【００７５】
端末要求部２２５は、移動体通信端末１００に対する種々の要求を、送信制御部２２２を介しておこなう。本実施形態では、電話番号切換要求などを移動体通信端末１００に対しておこなう。
【００７６】
外部ネットワーク処理部２３０は、当該交換機２００と外部ネットワーク１０とを接続し、他のキャリアの移動体通信端末や固定電話機と移動体通信端末１００との通信にかかる動作などをおこなう。図５に示すように、外部ネットワーク処理部２３０は、外部ネットワーク通信部２３１、送信制御部２３２、受信制御部２３３、着信処理部２３４、などを含んでいる。
【００７７】
外部ネットワーク通信部２３１は、例えば、所定の伝送装置などから構成され、交換機２００と外部ネットワーク１０とを接続し、外部ネットワーク１０に接続されている装置との通信をおこなう。
【００７８】
送信制御部２３２は、例えば、所定の送信制御装置などから構成され、外部ネットワーク１０を介した送信動作をおこなう。なお、送信制御部２３２は、移動体通信端末１００への着信要求を送信した外部端末に対し、音声ガイダンスを送信するための構成を備えているものとする。
【００７９】
受信制御部２３３は、例えば、所定の受信制御装置などから構成され、外部ネットワーク１０を介した受信動作をおこなう。
【００８０】
着信処理部２３４は、例えば、所定のコンピュータ装置などから構成され、受信制御部２３３によって外部ネットワーク１０を介して受信された、移動体通信端末１００への着信要求にかかる動作をおこなう。本実施形態では、着信要求に含まれる情報を記憶部２５０に記録する他、管理装置処理部２４０に通知する。
【００８１】
管理装置処理部２４０は、当該交換機２００に接続されている管理装置３００と通信し、移動体通信端末１００の電話番号切換処理にかかる動作などをおこなう。図５に示すように、管理装置処理部２４０は、管理装置通信部２４１、送信制御部２４２、受信制御部２４３、管理装置依頼部２４４、番号切換処理部２４５、などを含んでいる。
【００８２】
管理装置通信部２４１は、例えば、所定の伝送装置などから構成され、交換機２００と管理装置３００とを接続し、管理装置３００と通信をおこなう。なお、交換機２００と管理装置３００とは、例えば、光伝送路などで接続されているものとする。
【００８３】
送信制御部２４２は、例えば、所定の送信制御装置などから構成され、管理装置通信部２４１を介した管理装置３００への送信動作をおこなう。
【００８４】
受信制御部２４３は、例えば、所定の受信制御装置などから構成され、管理装置通信部２４１を介した管理装置３００からの受信動作をおこなう。
【００８５】
管理装置依頼部２４４は、例えば、所定のコンピュータ装置などから構成され、管理装置３００に対し、電話番号の登録依頼、検索依頼、認証依頼をおこなう。
【００８６】
番号切換処理部２４５は、例えば、所定のコンピュータ装置などから構成され、受信制御部２４３が受信した管理装置３００の検索結果などに基づいて、移動体通信端末１００の電話番号自動切換にかかる処理をおこなう。
【００８７】
記憶部２５０は、例えば、ハードディスク装置などの記憶装置や、データベース装置などから構成され、交換機２００の処理にかかる種々の情報を記憶する。図５に示すように、記憶部２５０には、端末情報格納部２５１、中継処理情報格納部２５２、などが含まれている。
【００８８】
端末情報格納部２５１は、当該交換機２００が受信した位置登録要求に含まれる情報を格納する。端末情報格納部２５１に格納される情報の例を図６（ａ）に示す。図示するように、端末情報格納部２５１には、移動体通信端末１００が送信した位置登録要求が示す、端末ＩＤ、電話番号、位置情報、などが対応づけられて記録される。
【００８９】
中継処理情報格納部２５２は、当該交換機２００の中継に関する電話番号情報などを格納する。中継処理情報格納部２５２に格納される情報の例を図６（ｂ）に示す。図示するように、中継処理情報格納部２５２には、基地局処理部２２０または外部ネットワーク処理部２３０が受信した着信要求毎に一意に割り当てられる着信要求ＩＤをキーとしたレコードが作成され、各レコードには、当該着信要求が示す、発信元電話番号が記録される他、発信元が通信を要求する着信先の電話番号（以下、「要求電話番号」とする）、要求電話番号が待受状態であるか否かを示す状態情報、要求電話番号が非待受状態である場合に、当該電話番号を利用する移動体通信端末１００で現在待受状態となっている電話番号（待受電話番号）、などが対応づけられて記録される。
【００９０】
次に管理装置３００について説明する。本実施形態にかかる管理装置３００は、例えば、メインフレームやワークステーションなどといった情報処理装置から構成され、主に、移動体通信端末１００のユーザ情報を管理するための、いわゆるＨＬＲ（Home Location Register：ホーム・ロケーション・レジスタ）として機能する。本実施形態では、交換機２００に接続されることで、キャリアＣＲに属する移動体通信端末１００について、ＩＣカード１６１を使用した複数電話番号の自動切換にかかる処理をおこなう。
【００９１】
このような管理装置３００の構成を、図７を参照して説明する。図７は、管理装置３００の構成を示すブロック図である。図示するように、管理装置３００は、制御部３１０、交換機通信部３２０、送信制御部３２１、受信制御部３２２、入力部３３０、出力部３４０、記憶部３５０、などから構成される。
【００９２】
制御部３１０は、例えば、ＣＰＵやワークエリアとなるＲＡＭなどから構成され、所定の動作プログラムを実行することで管理装置３００の各部を制御する。すなわち、管理装置３００の各構成は制御部３１０によって制御されるとともに、各構成間の情報伝達などは制御部３１０を介しておこなわれる。
【００９３】
交換機通信部３２０は、例えば、所定の伝送装置などから構成され、管理装置３００と交換機２００とを接続し、交換機２００との通信をおこなう。
【００９４】
送信制御部３２１は、例えば、所定の制御装置などから構成され、交換機通信部３２０を制御することで、交換機２００への送信動作をおこなう。
【００９５】
受信制御部３２２は、例えば、所定の制御装置などから構成され、交換機通信部３２０を制御することで、交換機２００からの受信動作をおこなう。
【００９６】
入力部３３０は、例えば、キーボードやポインティングデバイスなどの入力装置などから構成され、オペレータによる入力装置の操作に応じた入力信号を制御部３１０に入力する。
【００９７】
出力部３４０は、例えば、ディスプレイ装置などの出力装置から構成され、制御部３１０の処理結果などを出力する。
【００９８】
記憶部３５０は、例えば、ハードディスク装置などの記憶装置などから構成され、制御部３１０が実行する動作プログラムを格納する他、交換機２００との協働で実行される本実施形態にかかる各処理で必要となる情報を格納する。図７に示すように、記憶部３５０には、登録端末情報格納領域３５１やプログラム格納領域３５２などの記憶領域が作成されている。
【００９９】
登録端末情報格納領域３５１は、この移動体通信システム１を利用する移動体通信端末１００に関する情報を格納する。本実施形態では、特に、ＩＣカード１６１を利用した複数電話番号の自動切換サービス（以下、「番号切換サービス」とする）を利用する移動体通信端末１００についての情報を格納する。登録端末情報格納領域３５１に格納される情報の例を図８に示す。
【０１００】
図示するように、登録端末情報格納領域３５１には、番号切換サービスを利用する移動体通信端末１００についての電話番号情報、端末ＩＤ、暗証番号（暗証情報）、位置情報、などが対応づけられて記録される。登録端末情報格納領域３５１に記録される情報については、例えば、キャリアＣＲまたは移動体通信端末１００のユーザによって登録や変更などの設定がおこなわれる。
【０１０１】
本実施形態では、制御部３１０がプログラム格納領域３５２に格納されているプログラムを実行することで、本実施形態にかかる処理を実行するために必要な機能構成が実現される。制御部３１０によって実現される機能構成を図９に示す。図９は、制御部３１０によって実現される機能構成を示す機能ブロック図である。図示するように、制御部３１０は、通信処理部３１１、端末情報登録処理部３１２、検索・認証処理部３１３、などとして機能する。
【０１０２】
通信処理部３１１は、送信制御部３２１および受信制御部３２２との協働により、交換機２００との通信にかかる処理を実行する。本実施形態では、移動体通信端末１００の位置登録要求や、交換機２００からの検索依頼を受信する他、検索結果の交換機２００への送信動作などを実行する。
【０１０３】
端末情報登録処理部３１２は、記憶部３５０との協働により、登録端末情報格納領域３５１への情報の登録動作や、登録されている情報の更新動作などをおこなう。
【０１０４】
検索・認証処理部３１３は、記憶部３５０との協働により、交換機２００から依頼された検索動作や認証動作をおこなう。この場合、登録端末情報格納領域３５１に登録されている移動体通信端末１００の端末情報の検索をおこなう。
【０１０５】
本実施形態では、制御部３１０がプログラムを実行することによって、上記機能構成が論理的に実現されるものとするが、これらの機能を、例えば、ＡＳＩＣなどの物理的な構成によって実現してもよい。
【０１０６】
以上のような構成の移動体通信システム１の動作を、図面を参照して以下説明する。まず、移動体通信端末１００で使用可能な複数の電話番号から待受状態とする電話番号（以下、「待受番号」とする）を選択して設定するための待受番号設定処理を、図１０に示すフローチャートを参照して説明する。この待受番号設定処理は、移動体通信端末１００と管理装置３００との協働により実現される。本実施形態では、移動体通信端末１００のカードインタフェース１６０にＩＣカード１６１を装着されたことを契機に処理が開始されるものとする。
【０１０７】
処理が開始されると、移動体通信端末１００の電話番号処理部１１３は、可変情報記憶部１８０にアクセスし、装着されたＩＣカード１６１に記録されている電話番号情報を電話番号情報格納領域１８１に追加することで、移動体通信端末１００の本体内に格納する（ステップＳ１０１）。
【０１０８】
装着されたＩＣカード１６１の電話番号が電話番号情報格納領域１８１に追加されると、電話番号処理部１１３は、いずれの電話番号を待受番号とするかユーザに問い合わせる待受番号選択画面を表示部１４０に表示する（ステップＳ１０２）。待受番号選択画面の表示例を図１１（ａ）に示す。図示するように、待受番号選択画面には、電話番号情報格納領域１８１に格納されている複数の電話番号が選択可能に表示される。
【０１０９】
本実施形態では、移動体通信端末１００で利用可能な複数の電話番号のうちのいずれか１つを待受状態に設定し、他の電話番号を非待受状態とすることで、複数の電話番号を同時に待受状態にすることで生じる必要以上の電力消費を低減させる。よって、ユーザは、操作部１３０を操作し、利用可能な複数の電話番号から１つを選択する。
【０１１０】
ここで、電話番号の使い分けの例として、ビジネス用とプライベート用を想定する。ビジネス用の電話番号は、例えば、ユーザが所属している企業などがキャリアＣＲと契約したものであり、例えば、当該電話番号にかかる利用料金などは当該企業が支払う。一方、プライベート用の電話番号は、ユーザ自身がキャリアＣＲと契約したものであり、例えば、当該電話番号にかかる利用料金などはユーザ自身が支払う。
【０１１１】
本実施形態では、固定情報記憶部１７０にプライベート用に契約した電話番号情報が記録されているものとし、ビジネス用の電話番号はＩＣカード１６１を装着することによって利用可能となる場合を例に以下説明する。ここで、本実施形態では、ビジネス用の電話番号は、ユーザの仕事における関係者（例えば、同僚や取引相手など）のみに通知されているものとし、プライベート用の電話番号は、ユーザのプライベートな関係者（例えば、家族や友人など）のみに通知されているものとする。
【０１１２】
また、以下に示す例では、ユーザの仕事時間中に移動体通信端末１００が利用される場合を想定する。よって、ステップＳ１０２で表示された待受番号選択画面から、ユーザはビジネス用の電話番号を選択するものとする。本実施形態では、ＩＣカード１６１にビジネス用の電話番号が格納されているので、ＩＣカード１６１を移動体通信端末１００に装着しなければビジネス用の電話番号が利用できない。よって、移動体通信端末１００のユーザは、仕事時間の開始時にＩＣカード１６１を移動体通信端末１００に装着し、待受番号をプライベート用の電話番号からビジネス用の電話番号に切り換えるものとする。
【０１１３】
この場合、ユーザは操作部１３０を操作し、新たに待受番号としたい電話番号（以下、「新待受番号」とする）を選択し、「決定」ボタンを選択する。これにより、新待受番号を示す電話番号情報（以下、「新番号情報」とする）が制御部１１０に入力される。入力された新番号情報は、ワークエリアに保持される。本実施形態では、ＩＣカード１６１に記録されているビジネス用の電話番号が新待受番号に該当する。
【０１１４】
ユーザ操作によって新待受番号が選択されると、電話番号処理部１１３は、待受番号切換をおこなうユーザの認証に必要な暗証番号を入力するための暗証番号入力画面を表示部１４０に表示する（ステップＳ１０３）。暗証番号入力画面の表示例を図１１（ｂ）に示す。ユーザは、操作部１３０を操作し、現在移動体通信端末１００で待受番号として設定されている電話番号（以下、「前待受番号」とする）についての暗証番号を入力し、「決定」ボタンを選択する。これにより、入力された暗証番号を示す暗証番号情報が制御部１１０に入力される。入力された暗証番号情報は、ワークエリアに保持される。本実施形態では、固定情報記憶部１７０に格納されているプライベート用の電話番号が前待受番号に該当する。
【０１１５】
暗証番号が入力されると、電話番号処理部１１３は、管理装置３００に新待受番号を登録するための処理を登録処理部１１１に指示する。登録処理部１１１は、電話番号処理部１１３からの指示に応じて、送信制御部１２２を制御し、選択された新番号情報と、前待受番号を示す電話番号情報（以下、「現番号情報」とする）と、入力された前待受番号についての暗証番号と、固定情報記憶部１７０に格納されている端末ＩＤと、管理装置３００への登録要求である旨を示すヘッダ情報とを含んだ待受番号登録要求を管理装置３００に送信する（ステップＳ１０４）。
【０１１６】
この場合、当該待受番号登録要求は、近傍の基地局２５から交換機２００に中継される。交換機２００では、受信制御部２２３によって移動体通信端末１００からの待受番号登録要求が受信されると、端末処理部２２４がヘッダ情報を解析し、管理装置３００への待受番号登録要求であることを認識する。この場合、端末処理部２２４は、受信した待受番号登録要求を管理装置依頼部２４４に通知する。管理装置依頼部２４４は、送信制御部２４２および管理装置通信部２４１を介して、待受番号登録要求を管理装置３００に送出する。
【０１１７】
管理装置３００では、交換機２００を介して移動体通信端末１００からの待受番号登録要求を受信制御部３２２が受信すると（ステップＳ１０５）、登録端末情報格納領域３５１に格納されている情報に基づいて、端末情報登録処理部３１２が待受番号登録要求の認証をおこなう。
【０１１８】
ここで、端末情報登録処理部３１２は、例えば、待受登録要求に含まれている現番号情報が示す電話番号、端末ＩＤ、暗証番号の組み合わせが正しくない場合などは、当該待受登録要求を認証しない（ステップＳ１０６：Ｎｏ）。この場合、例えば、エラーメッセージを移動体通信端末１００に通知するなどして処理を終了する。
【０１１９】
一方、待受番号登録要求が認証された場合（ステップＳ１０６：Ｙｅｓ）、端末情報登録処理部３１２は、当該移動体通信端末１００に対し、新待受番号を用いた位置登録動作の実行を要求する位置登録要求を、通信処理部３１１を介して移動体通信端末１００に送信する（ステップＳ１０７）。
【０１２０】
管理装置３００が送信した位置登録要求は、交換機２００によって移動体通信端末１００に中継される。この場合、交換機２００の受信制御部２４３によって管理装置３００から位置登録要求が受信されると、端末要求部２２５の動作によって、移動体通信端末１００に位置登録要求が送信される。
【０１２１】
移動体通信端末１００では、受信制御部１２３の動作によって位置登録要求を受信すると（ステップＳ１０８）、登録処理部１１１が送信制御部１２２および受信制御部１２３を制御し、新待受番号での無線通信によって近傍の基地局２５と通信し、当該基地局２５が発信する位置情報を取得し、位置情報領域１８２に格納する（ステップＳ１０９）。登録処理部１１１は、送信制御部１２２を制御し、選択された新待受番号と、端末ＩＤと、ステップＳ１０９で取得した位置情報と、を含んだ位置登録情報を管理装置３００に送信する（ステップＳ１１０）。
【０１２２】
移動体通信端末１００から送信された位置登録情報は、上記待受番号登録要求の場合と同様に、交換機２００によって管理装置３００に中継される。このとき、交換機２００では、中継した位置登録情報を端末情報格納部２５１に格納する。
【０１２３】
交換機２００によって中継された位置登録情報を管理装置３００が受信すると（ステップＳ１１１）、端末情報登録処理部３１２が登録端末情報格納領域３５１にアクセスし、位置登録情報が示している電話番号情報のレコードに、受信した位置情報を格納することで、移動体通信端末１００から要求された新待受番号についての位置登録をおこなう（ステップＳ１１２）。端末情報登録処理部３１２はまた、位置登録情報に含まれている端末ＩＤと同一の端末ＩＤと対応づけられた他の電話番号情報のレコード（すなわち、前待受番号が記録されているレコード）を検索し、当該レコードに記録されている位置情報を削除する（ステップＳ１１３）。これにより、位置情報の有無に基づいて、移動体通信端末１００で待受番号として設定されている電話番号がいずれであるかが示されることになる。
【０１２４】
端末情報登録処理部３１２は、通信処理部３１１を介して、待受番号の登録完了通知を移動体通信端末１００に送信して（ステップＳ１１４）、処理を終了する。
【０１２５】
登録完了通知は、交換機２００によって移動体通信端末１００に中継される。移動体通信端末１００では、管理装置３００から登録完了通知を受信すると（ステップＳ１１５）、電話番号処理部１１３は、電話番号情報格納領域１８１にアクセスし、新待受番号を示す電話番号情報の待受識別フラグをＯＮするとともに、登録完了の旨のメッセージなどを表示部１４０に表示するなどして処理を終了する。
【０１２６】
以上の処理により、移動体通信端末１００および管理装置３００に、移動体通信端末１００での待受番号が設定される。すなわち、ビジネス用の電話番号が待受番号として設定される。この状態において、通常では、設定した待受電話番号に対する発呼に移動体通信端末１００は着信するが、移動体通信端末１００で利用可能な他の電話番号に対する発呼に移動体通信端末１００は着信しない。本実施形態の例では、ＩＣカード１６１に格納されているビジネス用電話番号を待受番号としたので、固定情報記憶部１７０に格納されているプライベート用電話番号は非待受状態となっている。よって、プライベート用電話番号への発呼があっても、移動体通信端末１００は着信しないことになる。
【０１２７】
しかしながら、非待受状態となっている電話番号（以下、「非待受番号」とする）に対するすべての発呼を着信しないのでは、不都合が生じることがある。例えば、家族からの緊急連絡の必要性が生じた場合に着信できないことは望ましくない。よって、本実施形態では、特定の要件を満たした場合のみ、非待受番号に対する発呼に着信できるよう、該当する非待受番号を待受番号に自動的に切り換える動作をおこなう。
【０１２８】
このような動作をおこなうための移動体通信システム１の処理を以下説明する。この待受番号の切換動作は、移動体通信端末１００と、交換機２００と、管理装置３００との協働により実行される。なお、本実施形態では、外部端末から移動体通信端末１００に発呼した場合を例に以下説明する。
【０１２９】
まず、交換機２００と管理装置３００との協働による着信処理を、図１２に示すフローチャートを参照して説明する。この着信処理は、外部端末からの発呼による移動体通信端末１００への着信要求を交換機２００が受信したことを契機に開始される。なお、外部端末から移動体通信端末１００への着信要求は通常の着信要求であり、少なくとも、発信元の電話番号（すなわち、外部端末の電話番号）と、着信先の電話番号（すなわち、移動体通信端末１００の電話番号）とを含んでいる。
【０１３０】
まず、交換機２００の受信制御部２３３が、外部ネットワーク通信部２３１の動作によって外部端末からの着信要求を受信することで、外部端末と交換機２００との通信路を確立する（ステップＳ２０１）。そして、中央処理部２１０は受信した着信要求に一意の着信要求ＩＤを付与し、中継処理情報格納部２５２にレコードを作成し、着信要求が示す発信元電話番号（すなわち、外部端末の電話番号）と、発信元が接続を要求する着信先の電話番号（要求電話番号）のそれぞれを示す電話番号情報を格納する（ステップＳ２０２）。なお、外部端末からの着信要求を交換機２００が受信することで外部端末と交換機２００との通信路が確立される。
【０１３１】
着信要求に関する電話番号情報を中継処理情報格納部２５２に格納すると、中央処理部２１０は、付与した着信要求ＩＤを管理装置依頼部２４４に通知する。管理装置依頼部２４４は、中継処理情報格納部２５２にアクセスし、通知された着信要求ＩＤに対応づけられている要求電話番号が現在待受状態であるか否かの問い合わせを管理装置３００に依頼する。この場合、待受状態であるか否かの問い合わせである旨を示すヘッダ情報と、着信要求ＩＤと、着信要求が示す要求電話番号とを含んだ待受確認要求を管理装置３００に送信する（ステップＳ２０３）。
【０１３２】
管理装置３００では、受信制御部３２２の動作によって待受確認要求を受信すると（ステップＳ２０４）、通信処理部３１１がヘッダ情報を解析し、待受確認要求であると判別する。この場合、通信処理部３１１は、受信した待受確認要求を検索・認証処理部３１３に通知する。検索・認証処理部３１３は、通信処理部３１１からの通知に応じて端末情報格納部２５１にアクセスし、待受確認要求に含まれている要求電話番号が記録されているレコードを検索する（ステップＳ２０５）。
【０１３３】
検索・認証処理部３１３は、検索したレコードに位置情報が記録されているか否かを判別する。ここで、位置情報が記録されていれば当該電話番号は待受状態となっており、記録されていなければ非待受状態である。検索・認証処理部３１３は、判別結果に応じて、着信要求が示す要求電話番号が待受状態であるか非待受状態であるかを示す回答情報を作成する。検索・認証処理部３１３は、該当する着信要求ＩＤを回答情報に付与し、通信処理部３１１を介して交換機２００に返信し（ステップＳ２０６）、処理を終了する。
【０１３４】
交換機２００では、受信制御部２４３の動作によって回答情報を受信すると（ステップＳ２０７）、番号切換処理部２４５が、回答情報に基づいて、要求電話番号が非待受状態であるか否かを判別する（ステップＳ２０８）。
【０１３５】
ここで、外部端末が発呼した着信先電話番号（要求電話番号）が、移動体通信端末１００において待受状態である場合（ステップＳ２０８：Ｎｏ）、番号切換処理部２４５は、中央処理部２１０を介して中継処理情報格納部２５２にアクセスし、回答情報に含まれている着信要求ＩＤに該当するレコードに、要求電話番号が待受状態であることを示す状態情報を記録する。要求電話番号が待受状態である場合、外部端末からの発呼を移動体通信端末１００が着信することができるので、交換機２００は着信要求を移動体通信端末１００に送信し（ステップＳ２０９）、処理を終了する。この場合、外部端末からの着信要求が交換機２００を介して移動体通信端末１００に中継され、外部端末と移動体通信端末１００との通信路が確立する。
【０１３６】
一方、外部端末が発呼した着信先電話番号（要求電話番号）が、移動体通信端末１００において非待受状態である場合（ステップＳ２０８：Ｙｅｓ）、番号切換処理部２４５は、中継処理情報格納部２５２の該当レコードに、要求電話番号が非待受状態であることを示す状態情報を記録するとともに、発呼した外部端末のユーザを認証するための発呼者認証処理を実行する（ステップＳ３００）。この発呼者認証処理を、図１３に示すフローチャートを参照して説明する。
【０１３７】
発呼者認証処理は、交換機２００と管理装置３００との協働でおこなわれる。処理が開始されると、番号切換処理部２４５は、発信元の外部端末に暗証番号の入力を要求するよう送信制御部２３２に指示する。送信制御部２３２は、番号切換処理部２４５の指示に応じ、ステップＳ２０１で確立した通信路により、暗証番号の入力を要求するメッセージの音声ガイダンスを外部端末に出力する（ステップＳ３０１）。ここは、例えば、暗証番号を知っている場合は番号入力し、知らない場合はキャンセルのための所定のキー操作（例えば、数字キー以外のキー入力）を促すメッセージを音声ガイダンスで外部端末に出力する。
【０１３８】
外部端末のユーザは、音声ガイダンスに応じて外部端末のキーを操作し、暗証番号の番号入力か、キャンセル操作のための所定のキー入力をおこなう。
【０１３９】
ここで、移動体通信端末１００のユーザが設定した暗証番号は、特定の者に通知されているものとする。本実施形態では、プライベート用電話番号の暗証番号がユーザの家族に通知されているものとする。本実施形態の例では、ビジネス用の電話番号が待受番号に設定されているので、ステップＳ２０７で要求電話番号が非待受状態であると判別された場合は、移動体通信端末１００のプライベート用電話番号宛に外部端末から発呼されたことになる。この場合において、移動体通信端末１００のユーザの家族が発信元である場合は、プライベート用電話番号の暗証番号が通知されているので、ステップＳ３０１で出力された音声ガイダンスに応じて暗証番号を入力することができる。一方、発信元がユーザの家族以外である場合は、暗証番号を知らないので入力することができない。
【０１４０】
外部端末で何らかのキー操作がおこなわれると、当該キー操作に応じたＤＴＭＦ（Dual Tone Multi Frequency）信号などが受信制御部２３３を介して中央処理部２１０に入力されることになる。中央処理部２１０は、外部端末からの入力信号に基づき、外部端末から暗証番号が入力されたか否かを判別する（ステップＳ３０２）。
【０１４１】
暗証番号以外の入力である場合（ステップＳ３０２：Ｎｏ）、中央処理部２１０は、着信不可通知を発信元の外部端末におこなうよう送信制御部２３２に指示する。送信制御部２３２は、例えば、発呼した電話番号では現在着信できない旨のメッセージなどを音声ガイダンスにより外部端末に出力し（ステップＳ３１１）、処理を終了する。
【０１４２】
一方、外部端末から暗証番号が入力された場合（ステップＳ３０２：Ｙｅｓ）、中央処理部２１０は、当該外部端末の着信要求が示す要求電話番号情報と、入力された暗証番号を示す暗証番号情報とを管理装置依頼部２４４に通知し、暗証番号の認証を管理装置３００に依頼するよう指示する。管理装置依頼部２４４は、中央処理部２１０を介して中継処理情報格納部２５２にアクセスし、通知された要求電話番号が記録されているレコードを特定し、当該レコードの着信要求ＩＤと、要求電話番号と、外部端末から入力された暗証番号情報とを含んだ暗証番号照合依頼を作成し、送信制御部２４２を介して管理装置３００に送信する（ステップＳ３０３）。
【０１４３】
管理装置３００では、受信制御部３２２が暗証番号照合依頼を受信すると（ステップＳ３０４）、制御部３１０に入力する。この場合、通信処理部３１１は、入力された暗証番号照合依頼に含まれている要求電話番号情報と暗証番号情報とを検索・認証処理部３１３に通知し、暗証番号の認証を指示する。検索・認証処理部３１３は、登録端末情報格納領域３５１にアクセスし、通知された要求電話番号情報が示す電話番号のレコードを検索し、当該レコードに記録されている暗証番号と、通知された暗証番号情報が示す暗証番号とを照合する（ステップＳ３０５）。
【０１４４】
検索・認証処理部３１３は、暗証番号が一致する場合（ステップＳ３０６：Ｙｅｓ）、当該要求電話番号が記録されているレコードに記録されている端末ＩＤに基づいて、当該端末ＩＤの移動体通信端末１００で現在待受状態となっている電話番号（以下、「現待受番号」とする）を検索する（ステップＳ３０７）。上述したように、登録端末情報格納領域３５１においては、位置情報が記録されている電話番号が待受状態となっていることを示しているので、検索・認証処理部３１３は、要求電話番号が記録されているレコードの端末ＩＤと同一の端末ＩＤと位置情報とが記録されているレコードを特定し、当該レコードに記録されている電話番号を移動体通信端末１００の現待受番号として取得する。
【０１４５】
検索・認証処理部３１３は、暗証番号照合依頼に示されていた着信要求ＩＤと、暗証番号の一致もしくは不一致を示す照合結果と、暗証番号が一致した場合に検索した移動体通信端末１００の現待受番号を示す電話番号情報（以下、現待受番号情報」とする）とを含んだ照合結果情報を生成し、通信処理部３１１を介して交換機２００に送信して（ステップＳ３０８）、管理装置３００側の処理を終了する。
【０１４６】
交換機２００では、受信制御部２４３の動作によって管理装置３００から照合結果情報を受信すると（ステップＳ３０９）、番号切換処理部２４５が照合結果を解析し、外部端末から入力された暗証番号の正否を判別する（ステップＳ３１０）。
【０１４７】
入力された暗証番号が正規の暗証番号と一致しない場合（ステップＳ３１０：Ｎｏ）、番号切換処理部２４５は、発信元の外部端末に対し、着信不可通知をおこなうよう送信制御部２３２に指示する。送信制御部２３２は、例えば、発呼した電話番号では現在着信できない旨のメッセージなどを音声ガイダンスにより外部端末に出力し（ステップＳ３１１）、処理を終了する。ここでは、照合結果情報が示す着信要求ＩＤに中継処理情報格納部２５２で対応づけられている発信元電話番号との通信路を用いて出力することで、移動体通信端末１００に発呼した外部端末に着信不可通知がおこなわれる。
【０１４８】
一方、入力された暗証番号が正規の暗証番号と一致した場合（ステップＳ３１０：Ｙｅｓ）、図１２に示す着信処理のフローに戻る。
【０１４９】
着信処理のフローに戻ると、交換機２００が着信先の移動体通信端末１００に待受番号の切換を要求し、移動体通信端末１００の待受番号を自動的に切り換えるための待受番号切換処理を実行する（ステップＳ４００）。この待受番号切換処理は、交換機２００と移動体通信端末１００との協働によっておこなわれる。待受番号切換処理を、図１４に示すフローチャートを参照して説明する。
【０１５０】
処理が開始されると、番号切換処理部２４５は、移動体通信端末１００における現待受番号から着信要求が示す要求電話番号への切換を移動体通信端末１００に要求する番号切換要求を生成し（ステップＳ４０１）、当該番号切換要求の移動体通信端末１００への通知を指示する。この番号切換要求には、番号切換要求である旨を示すヘッダ情報と、該当する着信要求ＩＤと、管理装置３００から通知された現待受番号を示す電話番号情報（以下、「切換前電話番号情報」とする）と、外部端末からの着信要求の要求電話番号を示す電話番号情報（以下、「切換後電話番号情報」とする）とが含まれている。
【０１５１】
端末要求部２２５は、端末情報格納部２５１にアクセスし、切換前電話番号情報が示す電話番号（すなわち、移動体通信端末１００の現待受番号）に対応する位置情報を取得する。そして、取得した位置情報に対応する基地局２５を介して、現待受番号に発呼することで移動体通信端末１００に接続する（ステップＳ４０２）。これにより、移動体通信端末１００に設定されている待受番号を用いて、交換機２００と移動体通信端末１００との通信路が確立する。
【０１５２】
移動体通信端末１００との通信路が確立すると、端末要求部２２５は、ステップＳ４０１で作成した番号切換要求を移動体通信端末１００に送信する（ステップＳ４０３）。
【０１５３】
移動体通信端末１００では、受信制御部１２３が番号切換要求を受信すると（ステップＳ４０４）、制御部１１０に入力する。着信要求解析部１１２は、ヘッダ情報に基づいて、番号切換要求が入力されたと認識すると、電話番号処理部１１３に待受番号の切換を指示する。ここでは、受信した番号切換要求に含まれている切換後電話番号情報が示す電話番号への切換を指示する。
【０１５４】
電話番号処理部１１３は、電話番号情報格納領域１８１にアクセスし、現在待受識別フラグがＯＮになっている電話番号（すなわち、切換前電話番号）について、待受識別フラグをＯＦＦするとともに（ステップＳ４０５）、通知された切換後電話番号情報が示す電話番号（すなわち、外部端末からの要求電話番号）の待受識別フラグをＯＮする（ステップＳ４０６）。また、電話番号処理部１１３は、ステップＳ４０５およびステップＳ４０６で待受識別フラグを操作した双方の電話番号について、自動切換フラグをＯＮする（ステップＳ４０７）。すなわち、切換前の電話番号については、自動切換フラグのみがＯＮとなり、切換後の電話番号については、待受識別フラグと自動切換フラグの双方がＯＮとなる。
【０１５５】
このようにして、移動体通信端末１００内で待受番号が切り換えられると、電話番号処理部１１３は、切り換えた電話番号（本実施形態の例では、プライベート用の電話番号）を登録処理部１１１に通知し、当該電話番号での位置登録を指示する。この場合、登録処理部１１１は、切り換えた電話番号で近傍の基地局２５と通信し、当該基地局２５が発信している位置情報を取得し、当該位置情報を位置情報領域１８２に格納する。登録処理部１１１はさらに、送信制御部１２２を制御して、切換後の電話番号を示す電話番号情報と、取得した位置情報とを含んだ位置登録情報を交換機２００に送信し（ステップＳ４０８）、移動体通信端末１００側の処理を終了する。
【０１５６】
交換機２００では、移動体通信端末１００から位置登録情報を受信すると（ステップＳ４０９）、受信した位置登録情報を端末情報格納部２５１に格納するとともに、管理装置３００に対し、切換後の電話番号による位置登録を依頼する（ステップＳ４１０）。
【０１５７】
この場合、管理装置３００では、上述したステップＳ１１１〜ステップＳ１１４（図１０参照）と同様の処理をおこなうことで、切換後の電話番号に位置情報を登録し、登録完了通知を交換機２００に送信する。
【０１５８】
交換機２００では、管理装置３００からの登録完了通知を受信すると（ステップＳ４１１）、図１２に示す着信処理のフローに戻る。この場合、番号切換処理部２４５は、切換後の電話番号を用いた着信要求の送信を端末要求部２２５に指示する。この場合、端末要求部２２５は、中継処理情報格納部２５２にアクセスし、該当する着信要求ＩＤのレコードに記録されている発信元電話番号情報と要求電話番号情報とを取得し、当該レコードを削除する。
【０１５９】
着信処理のフローでは、外部端末からの着信要求を移動体通信端末１００に中継して（ステップＳ２０９）、処理を終了する。この場合、端末要求部２２５は、端末情報格納部２５１にアクセスし、中継処理情報格納部２５２から取得した要求電話番号に対応づけられている位置情報を取得する。送信制御部２２２は、当該位置情報が示す基地局２５を介して移動体通信端末１００に発呼することで、要求電話番号（すなわち、切り換えられた現在の待受番号）を用いて移動体通信端末１００と接続する。すなわち、本実施形態の例では、移動体通信端末１００のプライベート用電話番号を用いて交換機２００と移動体通信端末１００との通信路が確立する。端末要求部２２５は、確立した移動体通信端末１００との通信路で、着信要求を移動体通信端末１００に送信する。これにより、外部端末から移動体通信端末１００への着信要求が、交換機２００によって中継される。この場合、通常の着信要求として移動体通信端末１００に送信する。
【０１６０】
交換機２００による着信要求の中継を受信した移動体通信端末１００での動作を以下説明する。この場合に移動体通信端末１００が実行する端末着信処理を、図１５に示すフローチャートを参照して説明する。
【０１６１】
この端末着信処理は、交換機２００が中継した着信要求を、移動体通信端末１００の受信制御部１２３が受信したことを契機に開始される。移動体通信端末１００が着信要求を受信したことで、交換機２００を介して、外部端末と移動体通信端末１００との通信路が確立される。受信制御部１２３は、受信した着信要求を制御部１１０に入力する。着信要求解析部１１２は、当該着信要求が通常の着信要求であると判別すると、音声処理部１５０に対し着信動作の実行を指示する。この場合、音声処理部１５０は、例えば、着信音を出力するなどの所定の着信動作を実行する（ステップＳ５０１）。
【０１６２】
移動体通信端末１００のユーザが操作部１３０を操作することで、外部端末と移動体通信端末１００との音声通話が確立し、音声処理部１５０の動作によって音声通話がおこなわれる（ステップＳ５０２）。
【０１６３】
そして、ユーザが操作部１３０を操作することにより、音声通話の終了が指示されると、音声処理部１５０はその旨を制御部１１０に入力する。この場合、電話番号処理部１１３が、音声処理部１５０からの入力に基づいて、通話が終了したと判別すると（ステップＳ５０３：Ｙｅｓ）、電話番号情報格納領域１８１にアクセスし、自動切換フラグがＯＮとなっているか否かを判別する（ステップＳ５０４）。
【０１６４】
自動切換フラグがＯＮとなっていない場合（ステップＳ５０４：Ｎｏ）、ステップＳ５０２での音声通話に用いた電話番号は、自動切換によって待受番号となったものではないため、そのまま処理を終了する。すなわち、当該電話番号での待受状態が維持される。
【０１６５】
一方、自動切換フラグがＯＮとなっている場合（ステップＳ５０４：Ｙｅｓ）、電話番号処理部１１３は、自動切換フラグに基づいて、切換前の電話番号を待受番号に復帰させている。この場合、自動切換フラグのみがＯＮとなっていた切換前電話番号について、待受識別フラグをＯＮするとともに（ステップＳ５０５）、自動切換フラグをＯＦＦする（ステップＳ５０６）。また、待受識別フラグと自動切換フラグの双方がＯＮとなっていた切換後電話番号について、待受識別フラグをＯＦＦするとともに（ステップＳ５０７）、自動切換フラグをＯＦＦする（ステップＳ５０８）。これにより、切換前電話番号を待受番号に復帰させると、当該待受番号についての位置登録をおこなう（ステップＳ５０９）。すなわち、上述した位置登録動作と同様の動作により、交換機２００と管理装置３００に位置登録をおこなって、処理を終了する。
【０１６６】
以上説明したように、本発明を上記実施形態の如く適用することで、移動体通信端末の動作効率と利便性とを両立させることができる。すなわち、複数の電話番号を利用可能な移動体通信端末において、いずれか１つの電話番号を待受状態とすることで移動体通信端末の消費電力を低減し、この状態において、他の電話番号に着信があった場合、特定の発信元であれば、待受番号を切り換えて着信させることができるので、例えば、家族からの緊急連絡などについては非待受状態であっても着信することができる。また、このように例外的に待受番号を切り換えた場合、通話終了時に自動的に待受番号を復帰させるので、特定の着信があったときのみに待受番号を切り換わることになる。これにより、本来は非待受状態としておくべき電話番号が待受状態に切り換えられたままになってしまうことを防ぐことができ、電話番号を使い分ける使用形態を妨げることなく、特定の発信元からの通話のみをおこなうことができる。
【０１６７】
上記実施形態は一例であり、本発明の適用範囲はこれに限られない。すなわち、種々の応用が可能であり、あらゆる実施の形態が本発明の範囲に含まれる。
【０１６８】
例えば、上記実施形態では、交換機２００と管理装置３００とがそれぞれ独立し、これらの協働によって移動体通信端末１００の待受番号切換をおこなったが、交換機２００と管理装置３００とが一体に構成されていてもよい。
【０１６９】
また、上記実施形態では、外部端末から移動体通信端末１００に発呼した場合を例示したが、他の移動体通信端末１００から移動体通信端末１００に発呼した場合であっても、上記実施形態と同様の処理によって、待受番号の自動切換をおこなってもよい。
【０１７０】
上記実施形態における移動体通信端末１００では、固定情報記憶部１７０に１つの電話番号が格納され、ＩＣカード１６１を装着することによって複数の電話番号を利用可能としたが、固定情報記憶部１７０に電話番号を格納せず、ＩＣカード１６１の装着のみによって複数の電話番号を利用可能としてもよい。この場合、カードインタフェース１６０を、複数のＩＣカード１６１を同時に装着可能な構成とすることで、各ＩＣカード１６１に格納されている電話番号のいずれかを待受状態として利用することができる。また、１枚のＩＣカード１６１に複数の電話番号が登録されている構成としてもよく、この場合、移動体通信端末１００に装着した１枚のＩＣカード１６１に格納されている複数の電話番号を利用可能としてもよい。
【０１７１】
また、上記実施形態では、交換機２００からの要求によって移動体通信端末１００の待受番号が自動的に切り換えられた場合、当該切換後の電話番号による通話終了時に自動的に元の電話番号を待受番号に復帰させるものとしたが、このような動作をおこなわなくてもよい。この場合、例えば、自動切換によって待受番号が切り換えられている旨のメッセージなどを通話終了時に出力してユーザに通知するよう移動体通信端末１００が動作してもよい。
【０１７２】
なお、上記実施形態のように、発信元が入力する暗証番号に基づいて、特定の発信元からの発呼の場合のみ例外的に非待受番号での着信ができるようにすることが望ましいが、暗証番号による認証をおこなわずに待受番号を自動的に切り換えるように構成してもよい。
【０１７３】
また、管理装置３００に登録されている電話番号が待受状態であるか否かを示す情報として、上記実施形態では位置情報を用いたが、各電話番号が待受状態であるか非待受状態であるかが識別できるのであれば、位置情報に限られず任意の情報を用いてもよい。
【０１７４】
なお、上述した移動体通信端末１００のように、本発明を実現するための機能を予め備えている移動体通信端末として提供できることはもとより、これらの機能を備えていない既存の移動体通信端末などにプログラムを適用することで、本発明にかかる移動体通信端末として機能させることもできる。この場合、少なくとも、複数の電話番号を利用可能な機能を有している移動体通信端末に、上述した移動体通信端末１００の各処理を実行させるためのプログラムを適用し、当該移動体通信端末を制御するコンピュータ（ＣＰＵなど）がそのプログラムを実行することで、本発明にかかる端末装置として機能させることができる。
【０１７５】
同様に、管理装置３００についても、専用装置によって構成可能であることはもとより、管理装置３００の各機能を実現させるためのプログラムを汎用コンピュータ装置（パーソナルコンピュータなど）に適用することでも、本発明にかかる管理装置を実現することができる。
【０１７６】
このようなプログラムの適用方法は任意であり、例えば、インターネットなどの通信媒体を介して提供することで任意の装置に適用できる他、所定の記録媒体（例えば、メモリカード、ＣＤ−ＲＯＭ、ＤＶＤ、など）にプログラムを格納して配布することでも適用可能である。
【図面の簡単な説明】
【０１７７】
【図１】本発明の実施形態にかかる移動体通信システムの構成を示す図である。
【図２】図１に示す移動体通信端末の構成を示すブロック図である。
【図３】図２に示す可変情報記憶部に格納される情報の例を示す図であり、（ａ）は電話番号情報格納領域に格納される情報の例を示し、（ｂ）は位置情報領域に格納される情報の例を示す。
【図４】図２に示す制御部によって実現される機能構成を示す機能ブロック図である。
【図５】図１に示す交換機の構成を示すブロック図である。
【図６】図５に示す記憶部に格納される情報の例を示す図であり、（ａ）は端末情報格納部に格納される情報の例を示し、（ｂ）は着信要求格納部に格納される情報の例を示す。
【図７】図１に示す管理装置の構成を示すブロック図である。
【図８】図７に示す登録端末情報格納領域に格納される情報の例を示す図である。
【図９】図７に示す制御部によって実現される機能構成を示す機能ブロック図である。
【図１０】本発明の実施形態にかかる待受番号設定処理を説明するためのフローチャートである。
【図１１】図１０に示す待受番号設定処理における画面表示例を示す図であり、（ａ）は待受番号選択画面の表示例を示し、（ｂ）は暗証番号入力画面の表示例を示す。
【図１２】本発明の実施形態にかかる着信処理を説明するためのフローチャートである。
【図１３】図１２に示す着信処理において実行される発呼者認証処理を説明するためのフローチャートである。
【図１４】図１２に示す着信処理において実行される待受番号切換処理を説明するためのフローチャートである。
【図１５】本発明の実施形態にかかる端末着信処理を説明するためのフローチャートである。
【符号の説明】
【０１７８】
１…移動体通信システム、１０…外部ネットワーク、２０…モバイルネットワーク、２５…基地局、１００…移動体通信端末、１１０…制御部、１１１…登録処理部、１１２…着信要求解析部、１１３…電話番号処理部、１２０…無線通信部、１２１…アンテナ、１２２…送信制御部、１２３…受信制御部、１３０…操作部、１４０…表示部、１５０…音声処理部、１５１…マイクロフォン、１５２…スピーカ、１６０…カードＩ／Ｆ、１６１…ＩＣカード、１７０…固定情報記憶部、１８０…可変情報記憶部、１８１…電話番号情報格納領域、１８２…位置情報領域、１８３…プログラム格納領域、２００…交換機、２１０…中央処理部、２２０…基地局処理部、２２１…基地局通信部、２２２…送信制御部、２２３…受信制御部、２２４…端末処理部、２２５…端末要求部、２３０…外部ネットワーク処理部、２３１…外部ネットワーク通信部、２３２…送信制御部、２３３…受信制御部、２４０…管理装置処理部、２４１…管理装置通信部、２４２…送信制御部、２４３…受信制御部、２４４…管理装置依頼部、２４５…番号切換処理部、２５０…記憶部、２５１…端末情報格納部、２５２…中継処理情報格納部、３００…管理装置、３１０…制御部、３１１…通信処理部、３１２…端末情報登録処理部、３１３…検索・認証処理部、３２０…交換機通信部、３２１…送信制御部、３２２…受信制御部
【図１】
0004569901.tif 000002
【図２】
0004569901.tif 000003
【図３】
0004569901.tif 000004
【図４】
0004569901.tif 000005
【図５】
0004569901.tif 000006
【図６】
0004569901.tif 000007
【図７】
0004569901.tif 000008
【図８】
0004569901.tif 000009
【図９】
0004569901.tif 000010
【図１０】
0004569901.tif 000011
【図１１】
0004569901.tif 000012
【図１２】
0004569901.tif 000013
【図１３】
0004569901.tif 000014
【図１４】
0004569901.tif 000015
【図１５】
0004569901.tif 000016